(57)【要約】【課題】簡単且つ美観良く、巾木を階段に取り付ける。【解決手段】複数の段板１３と複数の蹴込み板１２とで構成される階段１０が設けられた壁面２と段板１３との間の入隅部及び壁面２と蹴込み板１２との間の入隅部に取り付けられる巾木２０であって、段板１３の上面に沿って配置される横ベース部２１ａと、横ベース部２１ａの一端に略垂直に延設され、蹴込み板１２に沿って配置される縦ベース部２１ｂとを有する略Ｌ字状のベース部２１と、横ベース部２１ａの一面に突設された横段部２２ａと、縦ベース部２１ｂの一面に突設された縦段部２２ｂとを有する略Ｌ字状の段部２２と、少なくともベース部２１及び段部２２の一片に、段部２２の一片がベース部２１の一片よりも長さ方向の先端側に突出して設けられ、隣接する巾木２０のベース部２１及び段部２２の他片の先端部に重ねて配置される覆片２３とを備える。【選択図】図１
2015206163.tif 000002
【特許請求の範囲】
【請求項１】
複数の段板と複数の蹴込み板とで構成される階段が設けられた壁面と該段板との間の入隅部及び該壁面と該蹴込み板との間の入隅部に取り付けられる巾木であって、
上記段板の上面に沿って配置される横ベース部と、上記横ベース部の一端に略垂直に延設され、上記蹴込み板に沿って配置される縦ベース部とを有する略Ｌ字状のベース部と、
上記横ベース部の一面に突設された横段部と、上記縦ベース部の一面に突設された縦段部とを有する略Ｌ字状の段部と、
少なくとも上記ベース部及び上記段部の一片に、該段部の一片が該ベース部の一片よりも長さ方向の先端側に突出して設けられ、隣接する巾木の上記ベース部及び上記段部の他片の先端部に重ねて配置される覆片とを備えることを特徴とする巾木。
【請求項２】
上記横段部が上記横ベース部よりも長手方向の他端側に突出して設けられた横覆片と、
上記縦ベース部が上記縦段部よりも長手方向の下端側に突出して設けられた縦突片とを備え、
上記横覆片は、隣接する一の巾木の縦突片に重ねて配置され、
上記縦突片は、隣接する他の巾木の横覆片が重ねて配置されることを特徴とする請求項１に記載の巾木。
【請求項３】
上記横段部は、上記横ベース部と下面同士が面一で該横ベース部よりも幅狭に形成され、
上記縦段部は、上記縦ベース部と上記段板に対向する面同士が面一で該縦ベース部よりも幅狭に形成されると共に、上記縦突片に上記他の巾木の横覆片が重ねられた際に、下面が上記他の巾木の横覆片の上面から離間して設けられることを特徴とする請求項２に記載の巾木。
【請求項４】
上記横ベース部が上記横段部よりも長手方向の他端側に突出して設けられた横突片と、
上記縦段部が上記縦ベース部よりも長手方向の下端側に突出して設けられた縦覆片とを備え、
上記横突片は、隣接する一の巾木の縦覆片が重ねて配置され、
上記縦覆片は、隣接する他の巾木の横突片に重ねて配置されることを特徴とする請求項１に記載の巾木。
【請求項５】
上記横段部は、上記横ベース部と下面同士が面一で該横ベース部よりも幅狭に形成されると共に、上記横突片に上記一の巾木の縦覆片が重ねられた際に、上記段板に対向する面が上記一の巾木の縦覆片の一端面から離間して設けられ、
上記縦段部は、上記縦ベース部と上記段板に対向する面同士が面一で該縦ベース部よりも幅狭に形成されることを特徴とする請求項４に記載の巾木。
【請求項６】
上記横段部が上記横ベース部よりも長手方向の他端側に突出して設けられた横覆片と、
上記縦段部が上記縦ベース部よりも長手方向の下端側に突出して設けられた縦覆片とを備え、
上記横覆片は、隣接する一の巾木の縦突片に重ねて配置され、
上記縦覆片は、隣接する他の巾木の横突片に重ねて配置されることを特徴とする請求項１に記載の巾木。
【請求項７】
上記横段部は、上記横ベース部と下面同士が面一で該横ベース部よりも幅狭に形成され、
上記縦段部は、上記縦ベース部と上記段板に対向する面同士が面一で該縦ベース部よりも幅狭に形成されることを特徴とする請求項６に記載の巾木。
【請求項８】
複数の段板と複数の蹴込み板とで構成され、壁面に設けられる階段と、
上記階段が設けられた壁面と上記段板との間の入隅部及び該壁面と上記蹴込み板との間の入隅部に取り付けられる複数の巾木とを備え、
上記巾木は、
上記段板の上面及び上記蹴込み板に沿って配置される略Ｌ字状のベース部と、
上記ベース部の一面に突設された略Ｌ字状の段部と、
少なくとも上記ベース部及び上記段部の一片に、該段部の一片が該ベース部の一片よりも長さ方向の先端側に突出して設けられ、隣接する巾木の上記ベース部及び上記段部の他片の先端部に重ねて配置される覆片とを備えることを特徴とする階段構造。
【発明の詳細な説明】
【技術分野】
【０００１】
本発明は、簡単且つ美観良く取り付け可能な巾木及び階段構造に関する。
【背景技術】
【０００２】
例えば、階段が取り付けられた壁面及び階段の段板の間の入隅部（接合部）と壁面及び階段の蹴込み板の間の入隅部（接合部）とに亘って取り付けられる巾木として特許文献１のようなものがある。この特許文献１の巾木は、段板の上面に沿って配置される上面巾木部と、蹴込み板に沿って配置される垂直巾木部とを有し、略Ｌ字状に設けられている。更に、特許文献１の巾木は、例えば、垂直巾木部の下面が一つ下の段に既に取り付けられた他の巾木の上面巾木部の上面と接すると共に、上面巾木部の先端面が一つ上の段の蹴込み板と接するように設けられている。
【０００３】
しかしながら、特許文献１の巾木は、工場等において予め加工された、所謂、プレカット巾木である。したがって、例えば、加工誤差や組立誤差等による施工誤差が現場において生じた場合には、現場で上面巾木部や垂直巾木部の長さを短くする等、現場で部材長さを削る等して調整加工する必要があり、作業性が悪く、施工時間が長くなる虞がある。更に、美観を維持しつつ調整加工するには、作業者等の技能レベルに頼ることになる。
【先行技術文献】
【特許文献】
【０００４】
【特許文献１】特開２０１０−２８１０７７号公報
【発明の概要】
【発明が解決しようとする課題】
【０００５】
本発明は、以上のような問題点に鑑みてなされたものであり、簡単且つ美観良く取り付け可能な巾木及び階段構造を提供することを目的とする。
【課題を解決するための手段】
【０００６】
本発明に係る巾木は、複数の段板と複数の蹴込み板とで構成される階段が設けられた壁面と該段板との間の入隅部及び該壁面と該蹴込み板との間の入隅部に取り付けられる巾木であって、上記段板の上面に沿って配置される横ベース部と、上記横ベース部の一端に略垂直に延設され、上記蹴込み板に沿って配置される縦ベース部とを有する略Ｌ字状のベース部と、上記横ベース部の一面に突設された横段部と、上記縦ベース部の一面に突設された縦段部とを有する略Ｌ字状の段部と、少なくとも上記ベース部及び上記段部の一片に、該段部の一片が該ベース部の一片よりも長さ方向の先端側に突出して設けられ、隣接する巾木の上記ベース部及び上記段部の他片の先端部に重ねて配置される覆片とを備える。
【０００７】
本発明に係る階段構造は、複数の段板と複数の蹴込み板とで構成され、壁面に設けられる階段と、上記階段が設けられた壁面と上記段板との間の入隅部及び該壁面と上記蹴込み板との間の入隅部に取り付けられる複数の巾木とを備え、上記巾木は、上記段板の上面及び上記蹴込み板に沿って配置される略Ｌ字状のベース部と、上記ベース部の一面に突設された略Ｌ字状の段部と、少なくとも上記ベース部及び上記段部の一片に、該段部の一片が該ベース部の一片よりも長さ方向の先端側に突出して設けられ、隣接する巾木の上記ベース部及び上記段部の他片の先端部に重ねて配置される覆片とを備える。
【発明の効果】
【０００８】
本発明によれば、階段が設けられた壁面及び階段の段板の間の入隅部と壁面及び階段の蹴込み板の間の入隅部とに亘って巾木が取り付けられる際に、段部の一片がベース部の一片よりも長さ方向の先端側に突出して設けられた覆片を、隣接する巾木の他片の先端部に重ねて配置するので、この重ねた範囲内において調整の幅を持たせることができる。すなわち、例えば覆片によって覆われる巾木の他片の長さを覆片と重なる範囲内で短くしておくことで、巾木自体の長さを削る等の調整を省略することができる。更に、覆片によって巾木の他片の先端部を覆い隠すことにより、連続性を持たせることができ、美観性を損なうこともない。したがって、本発明によれば、簡単且つ美観良く、巾木を階段に取り付けることができる。
【図面の簡単な説明】
【０００９】
【図１】階段構造を示した斜視図である。
【図２】（Ａ）は、一方に覆片を有すると共に他方に突片を有する巾木を示した平面図であり、（Ｂ）は正面図であり、（Ｃ）は側面図である。
【図３】図２の巾木の使用状態を示した図である。
【図４】（Ａ）は、一方に突片を有すると共に他方に覆片を有する巾木を示した平面図であり、（Ｂ）は正面図であり、（Ｃ）は側面図である。
【図５】図４の巾木の使用状態を示した図である。
【図６】（Ａ）は、両方に覆片を有する巾木を示した平面図であり、（Ｂ）は正面図であり、（Ｃ）は側面図である。
【図７】（Ａ）は、両方に突片を有する巾木を示した平面図であり、（Ｂ）は正面図であり、（Ｃ）は側面図である。
【図８】図６及び図７の巾木の使用状態を示した図である。
【図９】（Ａ）は、覆片だけを有する巾木を示した平面図であり、（Ｂ）は正面図であり、（Ｃ）は側面図である。
【図１０】（Ａ）は、突片だけを有する巾木を示した平面図であり、（Ｂ）は正面図であり、（Ｃ）は側面図である。
【発明を実施するための形態】
【００１０】
以下、本発明を適用した巾木及び階段構造について、図面を参照しながら詳細に説明する。なお、本発明は以下の例に限定されるものではなく、本発明の要旨を逸脱しない範囲で任意に変更可能である。
【００１１】
＜１．第１の実施例の説明＞
本発明を適用した階段構造１は、図１に示すように、壁面２に設けられる階段１０と、壁面２と階段１０との入隅部（接合部）に取り付けられ、入隅部を覆う複数の巾木２０とを備えている。
【００１２】
階段１０は、図１に示すように、壁面２に取り付けられる側板１１と、側板１１に取り付けられる複数の蹴込み板１２と複数の段板１３とで構成されている。
【００１３】
側板１１は、例えば木製の長尺な板部材で構成されている。更に、側板１１には、蹴込み板１２が取り付けられる蹴込み板取付部１１ａと段板１３が取り付けられる段板取付部１１ｂとが複数個形成されている。更に、側板１１は、対向する壁面２，２にそれぞれ取り付けられている。なお、図１中においては、一方の壁面２のみを図示し、他方の壁面２は省略している。
【００１４】
蹴込み板１２は、例えば木製の矩形状の板部材で構成されている。更に、蹴込み板１２は、長さ方向を側板１１，１１間に向けつつ幅方向を鉛直方向（高さ方向）に向けて、側板１１の蹴込み板取付部１１ａに取り付けられている。
【００１５】
段板１３は、例えば木製の矩形状の板部材で構成されている。更に、段板１３は、長さ方向を側板１１，１１間に向けつつ幅方向を蹴込み板１２と略直交する水平対向に向けて、側板１１の段板取付部１１ｂに取り付けられている。この際、段板１３は、幅方向の手前側の端部が蹴込み板１２よりも手前側に突出して段鼻部１４が形成されるように、側板１１の段板取付部１１ｂに取り付けられている。
【００１６】
巾木２０は、図１に示すように、壁面２及び蹴込み板１２の入隅部（接合部）と壁面２及び段板１３の入隅部（接合部）とに亘って取り付けられ、階段１０に複数個設けられている。この巾木２０は、例えば木材や合成樹脂等で設けられており、図２及び図３に示すように、略Ｌ字状のベース部２１と、ベース部２１の一面に突設された略Ｌ字状の段部２２とで構成されている。
【００１７】
ベース部２１は、段板１３の上面に沿って配置される横ベース部２１ａと、横ベース部２１ａの一端に略垂直に延設され、蹴込み板１２に沿って配置される縦ベース部２１ｂとを有している。
【００１８】
段部２２は、横ベース部２１ａの一面に突設された横段部２２ａと、縦ベース部２１ｂの一面に突設された縦段部２２ｂとを有している。横段部２２ａは、横ベース部２１ａと下面同士が面一で横ベース部２１ａよりも幅狭に形成されている。縦段部２２ｂは、縦ベース部２１ｂと段板１３に対向する面同士が面一で縦ベース部２１ｂよりも幅狭に形成されている。
【００１９】
また、図２及び図３に示すように、横ベース部２１ａと横段部２２ａとから成る巾木２０の一片の先端部には、横段部２２ａが横ベース部２１ａよりも長手方向の他端側に突出した横覆片２３が設けられている。更に、縦ベース部２１ｂと縦段部２２ｂから成る巾木２０の他片の先端部には、縦ベース部２１ｂが縦段部２２ｂよりも長手方向の下端側に突出した縦突片２４が設けられている。この横覆片２３は、隣接する一の巾木２０ａの縦突片２４に重ねて配置される。更に、縦突片２４は、隣接する他の巾木２０ｂの横覆片２３が重ねて配置される。
【００２０】
また、図２及び図３に示すように、縦ベース部２１ｂ及び縦段部２２ｂの段板１３に対向する面には、段板１３の段鼻部１４が収容される段鼻収容凹部２５が形成されている。
【００２１】
また、巾木２０は、図３に示すように、横ベース部２１ａの下面から縦突片２４の下面までの長さＨ１が、隣接する段板１３の上面間の長さＨ２よりも、所定の長さＨ３だけ短く設けられている。具体的に、この所定の長さＨ３は、横覆片２３（横段部２２ａ）の幅Ｈ４よりも小さくなるように設けられている。これにより、巾木２０は、階段１０に取り付ける際に、他片の長さを削る等の調整をすることなく、簡単に階段１０に取り付けることができ、作業性が良く、施工時間を短縮することができる。更に、巾木２０は、階段１０に取り付けられた際に、横覆片２３を一つ上の段の一の巾木２０ａの縦突片２４に確実に重ねて配置することができる。更に、巾木２０は、一つ下の段の他の巾木２０ｃが取り付けられた際に、縦突片２４に他の巾木２０ｃの横覆片２３が重ねて配置される。
【００２２】
また、図３に示すように、巾木２０は、縦段部２２ｂの下面が他の巾木２０ｃの横覆片２３の上面から離間して隙間Ｓ１を有するように設けられている。例えば、縦段部２２ｂの下面は、他の巾木２０ｃの横ベース部２１ａの上面と略一致するように、他の巾木２０ｂの横覆片２３の上面から離間して設けられている。これにより、巾木２０は、階段１０の上下においてデザインを共通化することができ、美観を向上させることができる。
【００２３】
以上のような構成を有する巾木２０は、次のようにして階段１０に取り付けられて、階段構造１を設ける。
【００２４】
先ず、図３に示すように、段鼻収容凹部２５に段鼻部１４を収容しつつ、横ベース部２１ａを段板１３の上面に沿って配置させ、縦ベース部２１ｂを蹴込み板１２に沿って配置させて、巾木２０ｂを、壁面２及び段板１３の入隅部と壁面２及び蹴込み板１２の入隅部とに亘って取り付ける。この際、巾木２０ｂは、横覆片２３を、一つ上の段の一の巾木２０ａの縦突片２４に重ねて配置して、この縦突片２４の先端部及び縦突片２４の下面と段板１３の上面との間の隙間等を覆い隠す。
【００２５】
次いで、同様にして、一つ下の段に他の巾木２０ｃを取り付ける。すると、巾木２０ｂは、縦突片２４に他の巾木２０ｃの横覆片２３が重ねて配置されて、縦突片２４の先端部及び縦突片２４の下面と段板１３の上面との間の隙間等が覆い隠される。
【００２６】
次いで、同様にして、横覆片２３を隣接する巾木２０の縦突片２４に重ねて配置するようにして、新たな巾木２０を階段１０に取り付けていき、巾木２０を階段１０に複数個取り付ける。
【００２７】
以上のようにして、階段１０に複数個の巾木２０が取り付けられ、階段構造１が設けられる。
【００２８】
なお、巾木２０は、階段１０の上段から下段に向けて順番に取り付けることに限定されるものではなく、下段から上段に向けて順番に取り付けるようにしても良い。
【００２９】
以上のように、巾木２０は、横ベース部２１ａの下面から縦突片２４の下面までの長さＨ１が、隣接する段板１３の上面間の長さＨ２よりも、所定の長さＨ３だけ短く設けられているので、縦突片２４の下面と段板１３の上面との間の隙間によって現場における誤差を吸収することができ、階段１０に取り付ける際に、他片の長さを削る等の調整をすることなく、階段１０に簡単に取り付けることができ、作業性が良く、施工時間を短縮することができる。
【００３０】
また、巾木２０は、一片の先端部に設けられた横覆片２３が一つ上の段の一の巾木２０ａの縦突片２４に重ねて配置されるので、この縦突片２４の先端部及び縦突片２４の下面と段板１３の上面との間の隙間等を覆い隠すことができる。更に、巾木２０は、一つ下の段の他の巾木２０ｃが取り付けられると、縦突片２４に他の巾木２０ｃの横覆片２３が重ねて配置されるので、縦突片２４及び縦突片２４の下面と段板１３の上面との間の隙間等が覆い隠される。したがって、巾木２０は、階段構造１の美観が損なうことを防止できる。
【００３１】
すなわち、巾木２０は、簡単且つ美観良く、階段１０に取り付けることができる。更に、巾木２０は、縦突片２４の下面と段板１３の上面との間の隙間の範囲内であれば現場における誤差を吸収することができるので、プレカット製品として汎用性を持たせることができる。
【００３２】
＜２．第２の実施例の説明＞
次に、第２の実施例の階段構造３０について説明する。なお、第２の実施例の階段構造３０については、第１の実施例の階段構造１と同様の構成については同じ符号を付して説明を省略し、異なる構成についてのみ説明する。
【００３３】
具体的に、第１の実施例の巾木２０では一片の先端部に横覆片２３が設けられ、他片の先端部に縦突片２４が設けられているのに対して、第２の実施例の巾木４０は、図４に示すように、一片に横突片４４が設けられ、他片に縦覆片４３が設けられている。
【００３４】
横突片４４は、横ベース部２１ａが横段部２２ａよりも長手方向の他端側に突出して設けられている。縦覆片４３は、縦段部２２ｂが縦ベース部２１ｂよりも長手方向の下端側に突出して設けられている。横突片４４には、一つ上の段の一の巾木４０ａの縦覆片４３が重ねて配置される。縦覆片４３は、一つ下の段の他の巾木４０ｃの横突片４４に重ねて配置される。
【００３５】
また、巾木４０は、図５に示すように、縦ベース部２１ｂの段板１３に対向する面から横突片４４の先端面までの長さＬ１が、隣接する蹴込み板１２の外側面間の長さＬ２よりも、所定の長さＬ３だけ短く設けられている。具体的に、この所定の長さＬ３は、縦覆片４３（縦段部２２ｂ）の幅Ｌ４よりも小さくなるように設けられている。これにより、巾木４０は、階段１０に取り付けられる際に、一片の長さを削る等の調整をすることなく、簡単に階段１０に取り付けることができ、作業性が良く、施工時間を短縮することができる。更に、巾木４０は、階段１０に取り付けられた際に、縦覆片４３を一つ下の段の他の巾木４０ｃの横突片４４に確実に重ねて配置することができる。更に、巾木４０は、一つ上の段の一の巾木４０ａが取り付けられた際に、横突片４４に一の巾木４０ａの縦覆片４３が重ねて配置される。
【００３６】
また、図５に示すように、巾木４０は、横段部２２ａの先端面が一つ上の段の一の巾木２０ａの縦覆片４３の外側面から離間して隙間Ｓ２を有するように設けられている。例えば、横段部２２ａの外側面は、一の巾木２０ａの縦ベース部２１ｂの外側面と略一致するように、一の巾木２０ａの縦覆片４３の外側面から離間して設けられている。これにより、巾木４０は、階段１０の上下においてデザインを共通化することができ、美観を向上させることができる。
【００３７】
以上のような構成を有する巾木４０は、次のようにして階段１０に取り付けられて、階段構造３０を設ける。
【００３８】
先ず、図５に示すように、段鼻収容凹部２５に段鼻部１４を収容しつつ、横ベース部２１ａを段板１３の上面に沿って配置させ、縦ベース部２１ｂを蹴込み板１２に沿って配置させて、巾木４０ｂを、壁面２及び段板１３の入隅部と壁面２及び蹴込み板１２の入隅部とに亘って取り付ける。この際、巾木４０ｂは、縦覆片４３を、一つ下の段の他の巾木４０ｃの横突片４４に重ねて配置して、この横突片４４の先端部及び横突片４４の先端面と蹴込み板１２の外側面との間の隙間等を覆い隠す。
【００３９】
次いで、同様にして、一つ上の段に一の巾木４０ａを取り付ける。すると、巾木４０ｂは、横突片４４に一の巾木４０ａの縦覆片４３が重ねて配置されて、横突片４４の先端部及び横突片４４の先端面と蹴込み板１２の外側面との間の隙間等が覆い隠される。
【００４０】
次いで、同様にして、縦覆片４３を隣接する巾木４０の横突片４４に重ねて配置するようにして、新たな巾木４０を階段１０に取り付けていき、巾木４０を階段１０に複数個取り付ける。
【００４１】
以上のようにして、階段１０に複数個の巾木４０が取り付けられ、階段構造３０が設けられる。
【００４２】
なお、巾木４０は、階段１０の下段から上段に向けて順番に取り付けることに限定されるものではなく、上段から下段に向けて順番に取り付けるようにしても良い。
【００４３】
以上のように、巾木４０は、縦ベース部２１ｂの段板１３に対向する面から横突片４４の先端面までの長さＬ１が、隣接する蹴込み板１２の外側面間の長さＬ２よりも、所定の長さＬ３だけ短く設けられているので、横突片４４の先端面と蹴込み板１２の外側面との間の隙間によって現場における誤差を吸収することができ、階段１０に取り付ける際に、一片の長さを削る等の調整をすることなく、階段１０に簡単に取り付けることができ、作業性が良く、施工時間を短縮することができる。
【００４４】
また、巾木４０は、他片の先端部に設けられた縦覆片４３が一つ下の段の他の巾木４０ｃの横突片４４に重ねて配置されるので、この横突片４４の先端部及び横突片４４の先端面と蹴込み板１２の外側面との間の隙間等を覆い隠すことができる。更に、巾木４０は、一つ上の段に一の巾木４０ａが取り付けられると、横突片４４に一の巾木４０ａの縦覆片４３が重ねて配置されるので、横突片４４及び横突片４４の先端面と蹴込み板１２の外側面との間の隙間等が覆い隠される。したがって、巾木４０は、階段構造３０の美観が損なうことを防止できる。
【００４５】
すなわち、巾木４０は、簡単且つ美観良く、階段１０に取り付けることができる。更に、巾木４０は、横突片４４の先端面と蹴込み板１２の外側面との間の隙間の範囲内であれば現場における誤差を吸収することができるので、プレカット製品として汎用性を持たせることができる。
【００４６】
＜３．第３の実施例の説明＞
次に、第３の実施例の階段構造５０について説明する。なお、第３の実施例の階段構造３０については、第１の実施例の階段構造１及び第２の実施例の階段構造３０と同様の構成については同じ符号を付して説明を省略し、異なる構成についてのみ説明する。
【００４７】
具体的に、第１の実施例及び第２の実施例では、同じ形状の巾木２０，４０が階段１０に複数個取り付けられて、階段構造１，３０が設けられているのに対して、図６〜図８に示すように、第３の実施例では、それぞれ形状が異なる第１の巾木６０と第２の巾木７０とで構成されている。
【００４８】
第１の巾木６０は、図６に示すように、一片の先端部に横覆片２３が設けられ、他片の先端部に縦覆片４３が設けられている。第２の巾木６０は、図７に示すように、一片の先端部に横突片４４が設けられ、他片の先端部に縦突片２４が設けられている。
【００４９】
また、第２の巾木７０は、図８に示すように、縦ベース部２１ｂの段板１３に対向する面から横突片４４の先端面までの長さＬ１が、隣接する蹴込み板１２の外側面間の長さＬ２よりも、所定の長さＬ３だけ短く設けられている。具体的に、この所定の長さＬ３は、第１の巾木６０の縦覆片４３（縦段部２２ｂ）の幅Ｌ４よりも小さくなるように設けられている。更に、第２の巾木７０は、横ベース部２１ａの下面から縦突片２４の下面までの長さＨ１が、隣接する段板１３の上面間の長さＨ２よりも、所定の長さＨ３だけ短く設けられている。具体的に、この所定の長さＨ３は、第１の巾木６０の横覆片２３（横段部２２ａ）の幅Ｈ４よりも小さくなるように設けられている。
【００５０】
これにより、第２の巾木７０は、階段１０に取り付けられる際に、一片及び他片の長さを削る等の調整をすることなく、簡単に階段１０に取り付けることができ、作業性が良く、施工時間を短縮することができる。更に、第１の巾木６０は、第２の巾木７０よりも一つ下の段に取り付けられた際に、横覆片２３を一つ上の段の第２の巾木７０の縦突片２４に確実に重ねて配置することができる。更に、第１の巾木６０は、縦覆片４３を一つ下の段の第２の巾木７０の横突片４４に確実に重ねて配置することができる。
【００５１】
以上のような構成を有する第１の巾木６０及び第２の巾木７０は、次のようにして階段１０に取り付けられて、階段構造５０を設ける。
【００５２】
先ず、図８に示すように、段鼻収容凹部２５に段鼻部１４を収容しつつ、横ベース部２１ａを段板１３の上面に沿って配置させ、縦ベース部２１ｂを蹴込み板１２に沿って配置させて、第２の巾木７０を、一つ置きに、壁面２及び段板１３の入隅部と壁面２及び蹴込み板１２の入隅部とに亘って取り付ける。
【００５３】
次いで、段鼻収容凹部２５に段鼻部１４を収容しつつ、横ベース部２１ａを段板１３の上面に沿って配置させ、縦ベース部２１ｂを蹴込み板１２に沿って配置させて、第１の巾木６０を、第２の巾木７０，７０間の壁面２及び段板１３の入隅部と壁面２及び蹴込み板１２の入隅部とに亘って取り付ける。この際、第１の巾木６０は、横覆片２３を、一つ上の段の第２の巾木７０の縦突片２４に重ねて配置して、この縦突片２４の先端部及び縦突片２４の下面と段板１３の上面との間の隙間等を覆い隠す。更に、第１の巾木６０は、縦覆片４３を、一つ下の段の第２の巾木７０の横突片４４に重ねて配置して、この横突片４４の先端部及び横突片４４の先端面と蹴込み板１２の外側面との間の隙間等を覆い隠す。
【００５４】
以上のようにして、階段１０に複数個の第１の巾木６０及び第２の巾木７０が取り付けられ、階段構造５０が設けられる。
【００５５】
なお、第１の巾木６０及び第２の巾木７０は、下段から上段に向けて又は上段から下段に向けて交互に順番に取り付けるようにしても良い。
【００５６】
以上のように、第２の巾木７０は、縦ベース部２１ｂの段板１３に対向する面から横突片４４の先端面までの長さＬ１が、隣接する蹴込み板１２の外側面間の長さＬ２よりも、所定の長さＬ３だけ短く設けられている。更に、第２の巾木７０は、横ベース部２１ａの下面から縦突片２４の下面までの長さＨ１が、隣接する段板１３の上面間の長さＨ２よりも、所定の長さＨ３だけ短く設けられている。したがって、第２の巾木７０は、横突片４４の先端面と蹴込み板１２の外側面との間の隙間及び縦突片２４の下面と段板１３の上面との間の隙間によって現場における誤差を吸収することができ、階段１０に取り付ける際に、一片及び他片の長さを削る等の調整をすることなく、階段１０に簡単に取り付けることができ、作業性が良く、施工時間を短縮することができる。
【００５７】
また、第１の巾木６０は、一片の先端部に設けられた横覆片２３が一つ上の段の第２の巾木７０の縦突片２４に重ねて配置されるので、この縦突片２４及び縦突片２４の下面と段板１３の上面との間の隙間等を覆い隠すことができる。更に、第１の巾木６０は、他片の先端部に設けられた縦覆片４３が一つ下の段の第２の巾木７０の横突片４４に重ねて配置されるので、この横突片４４及び横突片４４の先端面と蹴込み板１２の外側面との間の隙間等を覆い隠すことができる。したがって、第１の巾木６０は、階段構造５０の美観が損なうことを防止できる。
【００５８】
すなわち、第１の巾木６０及び第２の巾木７０は、簡単且つ美観良く、階段１０に取り付けることができる。更に、第１の巾木６０及び第２の巾木７０は、横突片４４の先端面と蹴込み板１２の外側面との間の隙間及び縦突片２４の下面と段板１３の上面との間の隙間の範囲内であれば現場における誤差を吸収することができるので、プレカット製品として汎用性を持たせることができる。
【００５９】
＜４．変形例の説明＞
なお、図９に示すように、第１の実施例の巾木２０の他片の先端部に設けた縦突片２４を省略して、一片の先端部だけに横覆片２３を設けるようにしても良い。このような一片の先端部だけに横覆片２３が設けられる巾木８０は、例えば、第１の実施例の階段構造１や第３の実施例の階段構造５０の階段１０の最下段に取り付けられる。この際、巾木８０は、横覆片２３が一つ上の段の一の巾木２０，７０の縦突片２４に重ねて配置されるので、この縦突片２４の先端部及び縦突片２４の下面と段板１３の上面との間の隙間等を覆い隠すことができる。したがって、巾木８０は、階段構造１，５０の美観が損なうことを防止できる。
【００６０】
また、図１０に示すように、第１の実施例の巾木２０の一片の先端部に設けた横覆片２３を省略して、他片の先端部だけに縦突片２４を設けるようにしても良い。このような他片の先端部だけに縦突片２４が設けられる巾木９０は、例えば、第１の実施例の階段構造１や第３の実施例の階段構造５０の階段１０の最上段に取り付けられる。巾木９０は、横ベース部２１ａの下面から縦突片２４の下面までの長さＨ１が、隣接する段板１３の上面間の長さＨ２よりも、所定の長さＨ３だけ短く設けられているので、縦突片２４の下面と段板１３の上面との間の隙間によって現場における誤差を吸収することができ、階段１０に取り付ける際に、他片の長さを削る等の調整をすることなく、階段１０に簡単に取り付けることができ、作業性が良く、施工時間を短縮することができる。
【００６１】
また、巾木９０は、一つ下の段に例えば巾木２０，６０等が取り付けられると、縦突片２４に巾木２０，６０の横覆片２３が重ねて配置されるので、この縦突片２４の先端部及び縦突片２４の下面と段板１３の上面との間の隙間等が覆い隠される。したがって、巾木９０は、階段構造１，５０の美観が損なうことを防止することができる。
【００６２】
すなわち、巾木９０は、簡単且つ美観良く、階段１０に取り付けることができる。更に、巾木９０は、縦突片２４の下面と段板１３の上面との間の隙間の範囲内であれば現場における誤差を吸収することができるので、プレカット製品として汎用性を持たせることができる。
【符号の説明】
【００６３】
１  階段構造、２  壁面、１０  階段、１１  側板、１１ａ  蹴込み板取付部、１１ｂ  段板取付部、１２  蹴込み板、１３  段板、１４  段鼻部、２０  巾木、２１  ベース部、２１ａ  横ベース部、２１ｂ  縦ベース部、２２  段部、２２ａ  横段部、２２ｂ  縦段部、２３  横覆片、２４  縦突片、２５  段鼻収容凹部、３０  階段構造、４０  巾木、４３  縦覆片、４４  横突片、５０  階段構造、６０  第１の巾木、７０  第２の巾木、８０  巾木、９０  巾木、
【図１】
2015206163.tif 000003
【図２】
2015206163.tif 000004
【図３】
2015206163.tif 000005
【図４】
2015206163.tif 000006
【図５】
2015206163.tif 000007
【図６】
2015206163.tif 000008
【図７】
2015206163.tif 000009
【図８】
2015206163.tif 000010
【図９】
2015206163.tif 000011
【図１０】
2015206163.tif 000012